(57)【要約】【課題】プログラムジョブと章の概念がある機能を組み合わせた場合に、出力を原稿の束通りに行うことを可能にする。【解決手段】原稿の画像を読み込んで画像データを得る原稿読み込み部と、画像データに基づいて用紙に画像形成を行う画像形成部と、操作者による操作入力が可能な操作表示部と、ジョブを管理して画像形成の制御を行う制御部とを備え、該制御部は、複数のジョブを一括して出力可能なプログラムジョブ機能を有し、該プログラムジョブ機能において、原稿の読み込み束毎に、章の継続の有無を設定可能とする。プログラムジョブと章の概念がある機能（ページスタンプ章印字有り、集約印刷等）を組み合わせた場合、読込単位＝章とならない場合でも実際の原稿束（章）で印刷することを可能になり、読み込み束の区切りに限定されず、操作者の意図に沿った章の体裁での出力が可能になる。【選択図】図４
2010256952.tif 000002
【特許請求の範囲】
【請求項１】
原稿の画像を読み込んで画像データを得る原稿読み込み部と、画像データに基づいて用紙に画像形成を行う画像形成部と、操作者による操作入力が可能な操作表示部と、ジョブを管理して画像形成の制御を行う制御部とを備え、
前記制御部は、複数のジョブを一括して出力可能なプログラムジョブ機能を有し、該プログラムジョブ機能において、原稿の読み込み束毎に、章の継続の有無を設定可能であることを特徴とする画像形成装置。
【請求項２】
前記制御部は、ページスタンプ章印字が可能であり、前記章がページスタンプ章印字の章単位であることを特徴とする請求項１記載の画像形成装置。
【請求項３】
前記制御部は、前記章の継続が有りとされた場合、継続の対象とされた束では、ページスタンプの章データの更新を行わないことを特徴とする請求項２記載の画像形成装置。
【請求項４】
前記制御部は、集約印刷が可能であり、前記章が集約印刷の集約単位であることを特徴とする請求項１記載の画像形成装置。
【請求項５】
前記制御部は、両面印刷が可能であり、前記章が両面印刷の用紙単位であることを特徴とする請求項１記載の画像形成装置。
【請求項６】
前記制御部は、前記章の継続が有りとされた場合、継続有りとされた束では、次の束を章に含めて印刷することを可能にすることを特徴とする請求項４または５に記載の画像形成装置。
【請求項７】
前記制御部は、前記プログラムジョブ機能において、前記読み込み束単位で章の区切り設定を可能にすることを特徴とする請求項１〜６のいずれかに記載の画像形成装置。
【請求項８】
前記制御部は、前記プログラムジョブの開始時に、前記章の継続の有無の設定が可能であることを特徴とする請求項１〜７のいずれかに記載の画像形成装置。
【請求項９】
前記制御部は、前記章の継続の有無の設定を前記原稿の束読み込み完了時に行うことが可能であることを特徴とする請求項１〜８のいずれかに記載の画像形成装置。
【請求項１０】
前記制御部は、前記章の継続の有無の設定を前記プログラムジョブの出力開始時に行うことが可能であることを特徴とする請求項１〜９のいずれかに記載の画像形成装置。
【請求項１１】
前記制御部は、前記章の継続の有無の設定を前記操作表示部によって操作入力可能にすることを特徴とする請求項１〜１０のいずれかに記載の画像形成装置。
【請求項１２】
前記制御部は、前記プログラムジョブ機能として、記憶部に格納された複数のジョブデータファイルを結合して出力することが可能であり、該ジョブデータファイルの結合において、ジョブデータファイルを前記読み込み束として、前記章の継続の有無の設定を可能にすることを特徴とする請求項１〜１１のいずれかに記載の画像形成装置。
【発明の詳細な説明】
【技術分野】
【０００１】
この発明は、複数のジョブを一括して出力するプログラムジョブ機能を有する画像形成装置に関するものである。
【背景技術】
【０００２】
画像データに基づいて画像形成を行う複写機、ファクシミリ、プリンタ、複合機などの画像形成装置では、複数のジョブを一括して出力するプログラムジョブ機能を有するものが実用化されている。プログラムジョブ機能は、束毎に各種設定（トレイ指定、片面／両面指定など）が設定されており、該束を一つのジョブとして一括して出力する機能である。
このプログラムジョブ機能では、異なるアプリケーションで作成されたジョブデータやスキャナでジョブの束毎に読みとったジョブデータなどにおいて、ジョブ毎に画像の種別（線画、写真など）が異なったり、片面、両面印刷の方法が異なったりする複数のジョブデータを結合して一括して出力することができる。このプログラムジョブ機能を利用すれば各種のデータをまとめて、会議資料やプレゼンテーション資料等として使い勝手のよいデータや印刷物等を得ることができる（例えば特許文献１、２参照）。
特許文献１では、格納された印刷ジョブを結合する場合、指定に応じて結合の仕方を切り替えることを可能にする画像形成装置が提案されている。特許文献２では、複数の印刷ジョブの結合可能性を高め、操作者の意図する体裁の出力物を得ることを可能にする画像形成装置が提案されている。  
【先行技術文献】
【特許文献】
【０００３】
【特許文献１】特開２００１−１３４４１２号公報
【特許文献２】特開２００３−１７７８７９号公報
【発明の概要】
【発明が解決しようとする課題】
【０００４】
しかし、従来のプログラムジョブは読み込み束が章となっており、読み込み単位と章の概念は同一となっている。このため、図１０に示すように、同一の用紙束の中に写真原稿等が含まれていて読込単位を変えると、そこで章が更新されてしまう。すなわち、用紙束を自動原稿読取装置（ＡＤＦ）で読み取ると、読み込み束毎に章が設定される。しかし、写真原稿の読み込みの際には、ＡＤＦでの読込ができない為、プラテンガラス上に写真を置いて画像の読み込みが行われることで、読み込み束が変わり、図１０に示すように、写真原稿の前後で章の区切りが設定されてしまう。
【０００５】
例えば、ページスタンプ章印字中に、同一の章であるにも拘わらず、上記のように読み込み単位が変更されると、章データが加算されて、使用者が意図しないページスタンプ章印字がされてしまう。上記例では、図１０に示すように、写真原稿に対応する用紙ではその前の用紙の章番号に「１」を加算して章番号が更新されて印字され、さらに写真原稿以降の用紙でさらに章番号に「１」を加算して章番号が更新されてしまう。このため、本来の章とは異なる体裁でページスタンプ章印字がされてしまう。
【０００６】
また、集約印刷や両面印刷を行う際に、上記のように束中に文書原稿の他に写真原稿が含まれていると、同一の章であるにも拘わらず、上記のように読み込み単位が変更される。これをそのままプログラムジョブ機能で集約印刷や両面印刷を行うと、読み込み束毎に異なった集約単位や用紙単位に変更され、図１０に示すように、本来の章とは異なる体裁で集約印刷や両面印刷がなされてしまう。
【０００７】
また、読み込み束単位を越えて複数の読み込み束を一つの章に設定したいという要望がある場合にも、従来は、読み込み単位と章の概念は同一となっているため、この要望に応えることができない。
【０００８】
本発明は、上記事情を背景としてなされたものであり、プログラムジョブ機能を用いて出力を行う際に、読み込み束単位で章の区切りが設定されて所望の状態と異なる体裁で出力されるのを回避することができる画像形成装置を提供することを目的とする。
【課題を解決するための手段】
【０００９】
すなわち、本発明の画像形成装置は、原稿の画像を読み込んで画像データを得る原稿読み込み部と、画像データに基づいて用紙に画像形成を行う画像形成部と、操作者による操作入力が可能な操作表示部と、ジョブを管理して画像形成の制御を行う制御部とを備え、
前記制御部は、複数のジョブを一括して出力可能なプログラムジョブ機能を有し、該プログラムジョブ機能において、原稿の読み込み束毎に、章の継続の有無を設定可能であることを特徴とする。
【００１０】
上記章としては、ページスタンプ章印字の章単位、集約印刷の集約単位、両面印刷の用紙単位を挙げることができる。
上記読み込み束単位で章の継続有りを設定した場合、ページスタンプ章印字では、継続の対象とされた束では、ページスタンプの章データの更新を行わないようにすることで、ページスタンプでの章の印字が要望通りに行われる。
また、集約印刷や両面印刷で上記読み込み束単位で章の継続有りを設定した場合、継続有りとされた束に次の束が章として含まれるように集約印刷や両面印刷を行うことができる。
【００１１】
前記原稿の読み込み束毎での、章の継続の有無設定は、プログラムジョブの開始時や原稿の束読み込み完了時、プログラムジョブの出力開始時などに行うことができる。
制御部では、章の継続の有無設定に基づいて、読み込み束単位で章の区切り設定することができる。
【００１２】
前記章継続の有無設定に際しては、前記操作表示部によって操作入力することによって継続の有無の指定を行うことができ、該指定を行わない場合には、予め定めた設定によって章継続の有無決定がなされるようにすることができる。
【００１３】
また、前記原稿の読み込み束は、実際に自動原稿給送装置やプラテンガラス上での読み込みの他、既にこれら読み込みなどによって得られたジョブデータファイルを読み込み束として、前記章の継続の有無の設定を行えるようにしてもよい。
【発明の効果】
【００１４】
以上説明したように、発明の画像形成装置は、原稿の画像を読み込んで画像データを得る原稿読み込み部と、画像データに基づいて用紙に画像形成を行う画像形成部と、操作者による操作入力が可能な操作表示部と、ジョブを管理して画像形成の制御を行う制御部とを備え、前記制御部は、複数のジョブを一括して出力可能なプログラムジョブ機能を有し、該プログラムジョブ機能において、原稿の読み込み束毎に、章の継続の有無を設定可能であるので、プログラムジョブと章の概念がある機能（ページスタンプ章印字有り、集約印刷等）を組み合わせた場合において、読込単位＝章とならない場合でも実際の原稿束（章）で印刷することを可能にし、読み込み束の区切りに限定されず、操作者の意図に沿った章の体裁での出力が可能になる効果がある。
【図面の簡単な説明】
【００１５】
【図１】本願発明の一実施形態の画像形成装置を示す概略図である。
【図２】同じく、制御ブロック図である。
【図３】同じく、プログラムジョブと章の概念がある機能を組み合わせた場合の原稿と、出力物を示す概念図である。
【図４】同じく、プログラムジョブと章の概念がある機能を組み合わせた場合の章継続の有無を含む章区切りの設定手順を示すフローチャートである。
【図５】同じく、章の継続の有無設定があるプログラムジョブをページスタンプ章印字する際の出力手順を示すフローチャートである。
【図６】同じく、章の継続の有無設定があるプログラムジョブを集約印刷する際の出力手順を示すフローチャートである。
【図７】同じく、集約データの作成手順を示すフローチャートである。
【図８】同じく、章の継続有無設定が可能な束確認画面を示す図である。
【図９】同じく、プログラムジョブで両面印刷する場合の原稿と、出力物を示す概念図である。
【図１０】プログラムジョブと章の概念がある機能を組み合わせた場合の原稿と、従来の出力物を示す概念図である。
【発明を実施するための形態】
【００１６】
以下に、本発明の画像形成装置の一実施形態を添付図面に基づいて説明する。
図１は、画像形成装置１を示す概略図であり、その上部側に、スキャナ部１３０が設けられており、これによって原稿の読み取りが行われる。該スキャナ部１３０上には、自動原稿給送装置（ＡＤＦ）１３５が設けられており、原稿を自動的に給紙、搬送し、前記スキャナ部１３０での原稿の画像読み取りを可能にする。
読み取られた画像データは、印刷条件設定データとともにジョブデータとして記憶部に記憶される。該記憶部は図２に示す画像メモリ（ＤＲＡＭ）１２０、システムメモリＲＡＭ１１３、プログラムメモリ１１２、不揮発メモリ１１４などにより構成されている。
また、画像形成装置１の上部側に、操作表示部として操作パネル１４０が設けられており操作者による操作入力が可能になっている。
【００１７】
また、画像形成装置１の下部側には、用紙が収納された複数の給紙トレイ（Ｔｒａｙ１〜３）を有する給紙部１５５が設けられている。給紙部１５５の給紙先には、ＬＤ等で構成される画像形成部が配置されている。ＬＤの近傍には、感光体、帯電器、現像器、定着器などが配置されて前記画像形成部が構成されている。画像形成部の下流側には、画像形成がなされた用紙が排紙される排紙トレイ１７０が設けられている。なお、この図では示さないが、画像形成装置に後処理装置を付設してステイプルなどの適宜の後処理を行えるようにしてもよい。
【００１８】
次に、本発明における画像形成装置１の機能的な構成を図２のブロック図により示す。  画像形成装置１は、画像制御部１１０と自動原稿給送装置（ＡＤＦ）１３５とスキャナ部１３０と操作パネル１４０とプリンタ部１５０とを備えている。
【００１９】
画像制御部１１０には、画像形成装置１全体の制御を行う画像制御ＣＰＵ１１１を備えており、該画像制御ＣＰＵ１１１には、該画像制御ＣＰＵ１１１を動作させるプログラムが格納されたプログラムメモリ１１２、プログラム動作時のワークエリアやデータを一時格納場所などとして使用されるシステムメモリ（ＲＡＭ）１１３、不揮発メモリ１１４、ＩＯ部１１６などが接続されている。該不揮発メモリ１１４には、画像形成装置１の初期印刷設定情報や、プロセス制御パラメータ等の機械設定情報、各給紙トレイの用紙情報（用紙サイズ、紙種など）などの設定データが格納されている。ＩＯ部１１６は、画像形成装置１内の各部との間で情報の授受を行うインターフェースとして動作する。
【００２０】
画像制御ＣＰＵ１１１は、システムメモリ１１３上のデータを参照しながら、プログラムメモリ１１２に格納されているプログラムに従って各部制御などの動作を行う。画像制御ＣＰＵ１１１は、該不揮発メモリ１１４の不揮発データを読み取り可能であり、また、所望のデータを不揮発データとして該不揮発メモリ１１４に書き込むことが可能である。画像制御ＣＰＵ１１１は、上記機械設定情報や印刷設定情報に従って画像形成装置１の各部を動作制御する。画像処理制御ＣＰＵ１１１は、画像形成装置１全体を制御するものであり、該画像処理制御ＣＰＵ１１１および前記記憶部は本発明の制御部を構成する。
【００２１】
画像制御ＣＰＵ１１１には、ＤＲＡＭ制御ＩＣ１１５が接続されており、該ＤＲＡＭ制御ＩＣ１１５には、圧縮メモリ１２１を備える画像メモリ１２０が接続されている。
また、前記ＤＲＡＭ制御ＩＣ１１５には、書き込み処理部１２５が接続されている。該書き込み処理部１２５は、プリンタ部１５０に含まれるＬＤ（レーザダイオード）１５２に接続され、該ＬＤ１５２の動作に用いられる書き込みデータの処理を行う。また、プリンタ部１５０は、前記給紙部１５５、画像形成部、図示しない用紙搬送部などを含むものであり、プリンタ部１５０の全体を制御するプリンタ制御部１５１を備えている。プリンタ制御部１５１は前記した画像制御ＣＰＵ１１１に接続されている。
【００２２】
プリンタ制御部１５１は、画像制御ＣＰＵ１１１とシリアル通信を行いながら画像制御ＣＰＵ１１１の制御指令に従って動作してプリンタ部１５０を制御する。プリンタ制御部１５１には、給紙機構、搬送機構などが制御可能に接続されており、プリンタ制御部１５１は画像制御ＣＰＵ１１１の指示に従い用紙搬送、画像形成などを行う。
【００２３】
次に、前記スキャナ部１３０は、光学読み取りを行うＣＣＤ１３１と、スキャナ部１３０全体の制御を行うスキャナ制御部１３２とを備えている。スキャナ制御部１３２は、前記画像制御ＣＰＵ１１１とシリアル通信可能に接続されている。また、前記ＣＣＤ１３１は、該ＣＣＤ１３１で読み取った画像データを処理する読み取り処理部１１７に接続され、該読み取り処理部１１７にはＤＲＡＭ制御ＩＣ１１５に接続されており、ＤＲＡＭ制御ＩＣ１１５には、さらに画像データの圧縮処理や伸長処理をする圧縮・伸長ＩＣ１２４が接続されている。
【００２４】
また、読み取りのために積載した原稿を自動的に送る自動原稿給送装置（ＡＤＦ）１３５には、ＡＤＦ制御部１３６が備えられており、該ＡＤＦ制御部１３６は、前記画像制御ＣＰＵ１１１に接続されて画像制御ＣＰＵ１１１によって制御を受ける。上記スキャナ部１３０、自動原稿給送装置（ＡＤＦ）１３５、読み取り処理部１１７は、本発明の原稿読み込み部を構成している。
【００２５】
前記操作パネル１４０は、表示部と操作部とを兼ね、ＬＣＤ１４１と、操作部全体を制御する操作部制御部１４２とを備えており、該操作部制御部１４２は前記画像制御ＣＰＵ１１１にシリアル通信可能に接続されて画像制御ＣＰＵ１１１によって制御を受ける。操作パネル１４０では、ＬＣＤ１４１によって、画像形成装置１における印刷設定や動作制御条件などの機械設定入力、出力に関する設定入力、設定内容の表示、画像形成における所要残時間などの情報等の表示が可能になっている。したがって、操作パネル１４０は、プログラムジョブ機能の選択、プログラムジョブ時にページスタンプ章印字機能の選択、集約印刷機能の選択、両面印刷の選択、章継続有無の指示などの操作入力が可能になっている。
【００２６】
次に、上記画像形成装置１の基本的動作について説明する。
先ず、画像形成装置１において画像データを蓄積する手順について説明する。
画像形成装置１において、自動原稿給送装置（ＡＤＦ）１３５で給送される原稿または、プラテンガラスに載置された原稿に対し、スキャナ部１３０で画像を読み取り画像データを生成する場合について説明する。スキャナ部１３０において原稿からＣＣＤ１３１により画像を光学的に読み取る。この際には、画像制御ＣＰＵ１１１から指令を受けるスキャナ部制御部１３２によってＣＣＤ１３１の動作制御を行う。
【００２７】
画像制御ＣＰＵ１１１はプログラムによって動作し、操作パネル１４０による操作に基づいてスキャナ部１３０への指令を発行する。ＣＣＤ１３１で読み取られた画像は、読み取り処理部１１７でデータ処理がなされ、データ処理された画像データは、圧縮・伸長ＩＣ１２４において所定の方法によって圧縮され、ＤＲＡＭ制御ＩＣ１１５を介して圧縮メモリ１２１に格納される。
【００２８】
画像形成装置１で画像出力を行う場合、操作パネル１４０による設定または初期条件によって出力設定条件が決定される。画像制御ＣＰＵ１１１では、該出力設定条件に従って、各部を制御する。出力設定条件としては、例えば、「給紙トレイの指定」、「用紙サイズ」「倍率」「片面／両面」「設定部数」「後処理動作条件」等の入力画像に対する出力設定パラメータが挙げられる。前記原稿の読み込みに際し、ジョブとして画像制御ＣＰＵ１１１により管理される場合には、出力設定条件が決定され、画像データとともにジョブデータとして圧縮メモリ１２１に格納される。
【００２９】
画像形成に際しては、圧縮メモリ１２１に格納された画像データをＤＲＡＭ制御ＩＣ１１５を介して圧縮・伸張ＩＣ１２４に送出してデータを伸張し、伸張したデータはＤＲＡＭ制御ＩＣ１１５を介して画像制御ＣＰＵ１１１に送信される。
【００３０】
また、伸長した画像データは、ＤＲＡＭ制御ＩＣ１１５を通して書き込み処理部１２５に送出して書き込みデータを生成し、ＬＤ１５２において感光体への書き込みを行う。プリンタ部１５０では、画像制御ＣＰＵ１１１の指令を受けたプリンタ制御部１５１によってプリンタ部１５０の各部の制御が行われる。プリンタ部１５０において、画像形成、用紙への転写、定着、後処理装置（図示しない）への搬送、該後処理装置での後処理などが順次行われて印刷出力が行われる。
【００３１】
また、前記画像制御ＣＰＵ１１１では、プログラムジョブ機能の実行が可能になっている。該プログラムジョブ機能は、読み込み束毎に各種設定（トレイ指定、ページスタンプ（章印字あり／なし）、集約印刷、片面／両面指定など）が可能であり、各ジョブをまとめて一つのジョブとして出力するものである。該プログラムジョブにおいて、上記ページスタンプ（章印字あり／なし）、集約印刷、両面指定のように、章の概念がある機能を組み合わせて出力する場合がある。
【００３２】
この概念を図３に示すと、原稿束をそれぞれ読み込み、一括してこれらを出力可能にするとともにページスタンプ章印字などの設定が行われる。例えば、原稿がそれぞれ４枚の束が３束あり、２束目に文字原稿以外に、写真原稿が含まれているとする。その他は、文字原稿である。図に示すように各束は、自動原稿給送装置（ＡＤＦ）１３５で読み込むことができるが、２束目にある写真原稿は、ＡＤＦからの読み込みができないので、プラテンガラス上において読み込みを行う。この結果、読み込み束が変わり、２束目の写真原稿の前後で、２束目の読み込み束と３束目の読み込み束が生成される。
【００３３】
プログラム機能において、ページスタンプ印字（章有り）を行うと、ページスタンプ章印字では、束毎に章の番号と、該章におけるページ数とが用紙に印字され、集約印刷では、複数の頁の画像が一枚の用紙に集約されて印刷され、両面印刷では、用紙のそれぞれの面に頁印刷がされる。従来通り、読み込み束単位でページスタンプ章印字を行うと、先に示した例では、図１０に示すように、写真原稿に対応する用紙の前後で章が更新され、同一の章にしたいにも拘わらず、読み込み単位を分けたために別の章になってしまい、本来の束とは異なった体裁でページスタンプ章印字がなされてしまう。また、集約印刷や両面印刷では、読み込み束単位で章区切りがなされると、同一の用紙に印刷したい画像が他の用紙に印刷されるようになってしまい、本来の束とは異なった体裁で集約印刷や両面印刷が行われる。
【００３４】
この実施形態では、読み込み束単位で章の継続の設定が可能であり、該設定を前記した操作パネル１４０における指示に基づいて行うことができる。
以下に、本発明による章継続有無の設定手順を図４のフローチャートに基づいて説明する。この例では、束読み込み完了時に章の継続有無の設定を行っている。
画像形成装置１では、操作パネル１４０に表示された操作画面でプログラムジョブ機能の選択が可能になっており（図示しない）、操作者がプログラムジョブを選択すると、プログラムジョブを行うモードに移行する。
【００３５】
図４のフローチャートでは制御部の動作によって、プログラムジョブが選択されたか否かの判定がなされ（ステップｓ１）、プログラムジョブが選択されなければ（ステップｓ１、ＮＯ）、通常処理が行われる。プログラムジョブが選択されると（ステップｓ１、ＹＥＳ）、ページスタンプ章印字や集約印刷等の章単位での処理が行われるか否かの判定が行われる（ステップｓ２）。章単位での処理が行わない場合（ステップｓ２、ＮＯ）、通常処理が行われる。
章単位での処理が行われる場合（ステップｓ２、ＹＥＳ）、操作パネル１４０に表示した読み取り開始釦や、画像形成装置本体に設けた読み取り開始釦の操作を待つ（ステップｓ３）。読み取り開始釦が押釦されると（ステップｓ３、ＹＥＳ）、読み取りが開始され、束での読み取りが完了するまで読み取りが行われる（ステップｓ４）。読み取りが完了すると（ステップｓ４、ＹＥＳ）、図８に示すように、束確認画面１４００が操作パネル１４０の操作画面にポップアップ表示される（ステップｓ５）。
【００３６】
束確認画面１４００では、読み込んだ束を束として確定する束確定釦１４０１、読み込んだ束でジョブを確定し、読み込みを完了する確定＆読込完了釦１４０２、読み込んだ束のジョブをキャンセルして読み込みなおすキャンセル釦１４０３が操作入力可能に表示されており（ステップｓ６）、さらに、束確定釦１４０１が押釦された際に入力内容が有効となる「章継続する」の章継続チェックボックス１４０４が入力可能に表示されている。
【００３７】
制御部では、これら釦、ボックスへの入力に従って処理を行う。
すなわち、上記束確認釦１４００で、キャンセル釦１４０３が押釦されると、読み込み束のジョブがキャンセルされ、読み取り開始釦の押釦を待つ（ステップｓ３へ）。また、確定＆読込完了釦１４０２が押釦されるとＪＯＢが確定し、読み込み束に章区切りが設定され（ステップｓ９）、読み込みを終了する。
また、束確定釦１４０１が押釦された場合、章継続の指示があるか否かの判定がなされる（ステップｓ７）。該判定は章継続チェックボックス１４０４のチェックの有無に基づいて行われる。したがって、操作者は、束確定釦１４０１を押釦する際に、章継続チェックボックス１４０４のチェック内容を確認し、章継続が必要な場合には、チェックボックスにチェックが示されていることを確認し、またはチェックが示されていなければ、チェックボックスにチェックが示されるように入力をし、束確定釦１４０１を押釦する。章継続が不要な場合には、チェックボックスにチェックが示されていないことを確認し、またはチェックが示されていれば、チェックボックスのチェックを外すように入力をし、束確定釦１４０１を押釦する。
【００３８】
上記の束確定釦１４０１の押釦に際し、章継続指示がある場合（ステップｓ７、ＹＥＳ）、章の区切りを設定することなく、次の束について読み込み釦が押釦されるのを待つ（ステップｓ３へ）。章継続の指示がない場合（ステップｓ７、ＮＯ）、読み込み束に章区切り情報をセットし（ステップｓ８）、次の束についての読み込み釦が押釦されるのを待つ（ステップｓ３へ）。
上記により、読み込み束の読み込み完了時に、読み込み束毎に章の継続を行うか否か（有無）の設定が行われる。
図３の例では、原稿の束毎では、章の区切りを設定し、写真原稿を読み込んだ際には、章の継続を指示することができる。
【００３９】
次に、読み込み束毎に章の区切りを設定したプログラムジョブをページスタンプ章印字で出力する際の制御部による制御手順を図５に基づいて説明する。
先ず、上記と同様に、プログラムジョブが選択されているか否かの選択を行う（ステップｓ１０）。プログラムジョブが選択されていなければ（ステップｓ１０、ＮＯ）、通常処理を行い、プログラムジョブが選択されていれば（ステップｓ１０、ＹＥＳ）、ページスタンプ章印字機能が選択されているか否かの判定がなされる（ステップｓ１１）。ページスタンプ章印字機能が選択されていなければ（ステップｓ１１、ＮＯ）、通常処理が行われる。
【００４０】
ページスタンプ章印字機能が選択されていれば（ステップｓ１１、ＹＥＳ）、先ず、章データ、ページデータに１をセットする（ステップｓ１２）。該セット後、束の最終頁に至るまで、各用紙毎に、章データ、ページデータに基づいて印字をし、これに伴ってページデータに１を加算する（ステップｓ１３、１４）。この繰り返しで束の最終頁に至ると（ステップｓ１４、ＹＥＳ）、束に章区切りがあるか否かの判定を行う（ステップｓ１５）。章区切りがなければ（ステップｓ１５、ＮＯ）、次の束に移行し、章の番号を維持したままで、束の最終頁までページデータに１を加算しつつ印刷を行う（ステップｓ１３へ）。これにより、一つの読み込み束を超えた単位で章が変更されることなくページスタンプ章印字がなされる。上記章の区切りの設定で、写真原稿を読み込んだ際に章の継続を指示しておけば、章の区切りの設定はなされておらず、その前の頁から続いた同じ章の番号でページスタンプ章印字がなされる。
【００４１】
また、原稿束などにしたがって、読み込み束に章の区切りがあると（ステップｓ１５、ＹＥＳ）、章データに１を加算し、ページデータを１にセットして、該束が最終束でなければ（ステップｓ１７、ＮＯ）、次の束に移行し、加算した章の番号で、束の最終頁までページデータに１を加算しつつ印刷を行う（ステップｓ１３へ）。上記の章区切りの束が最終束の場合（ステップｓ１７、ＹＥＳ）、印刷を終了する。
上記出力の手順によって、図３に示すように、ページスタンプ章印字に際し、章番号が原稿の束通りの単位で印字され、所望の体裁で用紙の出力を行うことができる。なお、本発明としては、原稿の束を超えた任意の束をページスタンプ章印字の章区切りとすることもできる。
【００４２】
次に、読み込み束毎に章の区切りを設定したプログラムジョブを集約印刷で出力する際の制御部による制御手順を図６のフローチャートに基づいて説明する。
先ず、上記と同様に、プログラムジョブが選択されているか否かの選択を行う（ステップｓ２０）。プログラムジョブが選択されていなければ（ステップｓ２０、ＮＯ）、通常処理を行い、プログラムジョブが選択されていれば（ステップｓ２０、ＹＥＳ）、集約印刷機能が選択されているか否かの判定がなされる（ステップｓ２１）。集約印刷機能が選択されていなければ（ステップｓ２１、ＮＯ）、通常処理が行われる。
【００４３】
集約印刷機能が選択されていれば（ステップｓ２１、ＹＥＳ）、集約データを作成する（ステップｓ２２）。
集約データの作成手順を図７のフローチャートに基づいて説明する。ここでは、２頁の原稿データを１頁に集約する、すなわち２ｉｎ１の例を説明する。
先ず、Ｎ＝１をセットし（ステップｓ３０）、次に、Ｎ頁とＮ＋１頁の画像データを取得する（ステップｓ３１）。次に、Ｎ頁、Ｎ＋１頁の画像データの取得状況を判定して、処理手順が決定される（ステップｓ３２）。Ｎ頁、Ｎ＋１頁ともに画像データの取得ができなかった場合、集約データの作成手順を終了する。
【００４４】
Ｎ頁目の画像データのみ取得できた場合、Ｎ頁目の画像データと白紙とを合成し（ステップｓ３３）、集約データの作成を終了する。
Ｎ頁、Ｎ＋１頁の画像データともに取得できた場合、Ｎ頁目に、集約区切りすなわち章の区切りの設定があるか否かの判定を行う（ステップｓ３４）。集約区切りがあれば（ステップｓ３４、ＹＥＳ）、Ｎ頁目の画像データと白紙とを合成し（ステップｓ３５）、Ｎに１を加算し、ステップｓ３１に移行する。上記で集約区切りがなければ（ステップｓ３４、ＮＯ）、Ｎ頁目の画像データとＮ＋１頁目の画像データとを合成し（ステップｓ３６）、Ｎに２を加算し、ステップｓ３１に移行する。
【００４５】
上記集約データの作成後、集約データに基づいて束最終頁まで印刷を行う（ステップｓ２３）。束最終頁でなければ（ステップｓ２４、ＮＯ）、次の束で集約データの印刷を行う（ステップｓ２３）。束最終頁に達すると（ステップｓ２４、ＹＥＳ）、当該束に章区切りの設定があるか否かの判定を行う（ステップｓ２５）。章区切りがなければ、次の束についても引き続き集約データの印刷を行う（ステップｓ２３）。これにより読み込み束を超えて同一用紙への集約印刷がなされる。
【００４６】
一方、最終頁に達した束に章区切りがある場合（ステップｓ２５、ＹＥＳ）、最終束か否かの判定がなされる（ステップｓ２６）。最終束でなければ（ステップｓ２６、ＮＯ）、次の束において用紙が変わって集約データの印刷が行われる（ステップｓ２３）。最終束であれば（ステップｓ２６、ＹＥＳ）、集約印刷を終了する。
上記出力の手順によって、図３に示すように、集約印刷に際し、集約単位の頁が単なる読み込み束単位ではなく、章継続の有無にしたがって印刷され、所望の体裁で用紙の出力を行うことができる。なお、本発明としては、原稿の束を超えた任意の束を集約単位の章区切りとすることもできる。
【００４７】
上記では、集約印刷を行う場合に、章の継続の有無を設定する場合について説明したが、両面印刷においても同様に章の継続の有無を設定することができる。正面印刷では、用紙単位が章の単位になっており、裏面側に位置する読み込み束の前に章区切りがあると、裏面側は白紙になって、次の用紙に印刷が行われる。裏面側に位置する読み込み束に、図９上段に示すように写真原稿を含んでいると、従来は、図９中段に示すように、その前の束で章区切りが設定され、写真原稿に対応する画像は、その前の用紙と同じ束であるにも拘わらず、次の用紙に印刷される。この場合、本発明によって、写真原稿の前の読み込み束で章継続の指定を行うと、写真原稿に対応する画像は、図９下段に示すように、その前の用紙に続いて裏面側に印刷され、原稿束通りの体裁で出力がなされる。なお、本発明としては、原稿の束を超えた任意の束を集約単位の章区切りとすることもできる。
【００４８】
以上、本発明について上記実施形態に基づいて説明を行ったが、本発明は、上記実施形態の内容に限定されるものではなく、本発明の範囲を逸脱しない限りは適宜の変更が可能である。
【符号の説明】
【００４９】
１  画像形成装置
１１１  画像制御ＣＰＵ
１１４  不揮発メモリ
１３０  スキャナ部
１４０  操作パネル
１５０  プリンタ部
１５５  給紙部
１４００  束確認画面
【図１】
2010256952.tif 000003
【図２】
2010256952.tif 000004
【図３】
2010256952.tif 000005
【図４】
2010256952.tif 000006
【図５】
2010256952.tif 000007
【図６】
2010256952.tif 000008
【図７】
2010256952.tif 000009
【図８】
2010256952.tif 000010
【図９】
2010256952.tif 000011
【図１０】
2010256952.tif 000012